(57)【要約】【課題】  消費電力の大幅な低減を実現した点灯装置及び照明器具を提供する。【解決手段】  ワイヤレス端末４１により、調光状態を全光点灯（１００％）の数％以下に設定し、インバータ回路１４の電界効果トランジスタ１４１，１４２の動作周波数を低減させて放電灯２，３を消灯状態にすると、制御部３１２からの消灯信号により待機状態設定部２０６は、ＤＳＰ２０のインバータ回路制御部２０３によるインバータ動作を停止させてＤＳＰ２０全体の動作を低消費電力モードに移行させる。【選択図】      図２
2010040374.tif 000002
【特許請求の範囲】
【請求項１】
動作周波数に基づいて交流出力を生成する交流出力手段と；
前記交流出力手段より生成される交流出力が供給される光源と；
前記交流出力手段の動作周波数を制御する動作制御手段を有する主制御手段と；
外部からの制御信号が入力するとともに、前記制御信号に応じた信号を前記動作制御手段に出力して前記光源の点灯及び消灯を制御する点灯制御手段と；
前記点灯制御手段による前記光源の消灯により前記主制御手段の動作を低消費電力モードに移行させる電力モード切替手段を有する補助制御手段と；
を具備したことを特徴とする点灯装置。
【請求項２】
さらに前記光源に供給される高周波交流出力の異常を検出する異常検出手段を有し；
前記補助制御手段は、前記異常検出手段の異常検出により前記主制御手段の動作を低消費電力モードに移行させることを特徴とする請求項１記載の点灯装置。
【請求項３】
請求項１又は２記載の点灯装置と；前記点灯装置を有する器具本体と：を具備したことを特徴とする照明器具。
【発明の詳細な説明】
【技術分野】
【０００１】
本発明は、放電灯などの光源を点灯する点灯装置及び照明器具に関するものである。
【背景技術】
【０００２】
従来、放電灯などの光源を点灯する点灯装置には、インバータ回路を用いたインバータ式のものが知られている。かかる点灯装置は、インバータ回路を構成するスイッチング手段のスイッチング周期（動作周波数）やスイッチングのデューティ比を放電灯の点灯状態や電源電圧に応じて制御することにより放電灯を一定の明るさで点灯できるようにしている。
【０００３】
ところで、近年、特許文献１に示すように制御手段をディジタル化し、このディジタル化された制御手段によりインバータ回路などの主回路をディジタル制御することにより所望する制御特性や応答の速い制御を実現したものがある。また、最近では、ディジタル化した制御手段として、ディジタル信号処理装置（Digital Signal Processor：以下、ＤＳＰと称する）を使用したものが考えられている。かかるＤＳＰは、ディジタル演算処理機能を有するＭＰＵ（演算素子）であり、外部機器からの指令によりインバータ回路に供給するＰＷＭ信号を生成し、この生成したＰＷＭ信号に基づいてインバータ回路を制御することにより放電灯の点灯及び消灯を始め、調光制御などを可能にしている。
【０００４】
一方、このようなディジタル化された制御手段を有する点灯装置は、一般家庭の照明器具にも適用されており、外部機器として赤外線などを使用したワイヤレス端末、いわゆるリモコンを用い、ユーザのリモコンを使用した遠隔制御によりＤＳＰを制御し、放電灯の点灯及び消灯や調光制御などを実現したものも考えられている。
【特許文献１】特開２０００−１５０１８０号公報
【発明の開示】
【発明が解決しようとする課題】
【０００５】
ところが、このようなリモコンを使用してＤＳＰを直接制御するものは、例えば、放電灯を消灯した場合、ＤＳＰは、リモコンからの次の指令の待受け状態を維持するため、高速で動作しつづけ回路を通電状態にしたままで放電灯のみを消灯するようにしている。しかし、ＤＳＰは、消費電流が数１００ｍＡにもなり、消費電力が大きいことが知られている。このためＤＳＰによる放電灯消灯時の待受け電力が大きなままで装置を使用続けることは、最近の地球環境を考えた省エネルギー化の流れからも大きな問題となっている。
【０００６】
本発明は上記事情に鑑みてなされたもので、消費電力の大幅な低減を実現した点灯装置及び照明器具を提供することを目的とする。
【課題を解決するための手段】
【０００７】
請求項１記載の発明は、動作周波数に基づいて交流出力を生成する交流出力手段と；前記交流出力手段より生成される交流出力が供給される光源と；前記交流出力手段の動作周波数を制御する動作制御手段を有する主制御手段と；外部からの制御信号が入力するとともに、前記制御信号に応じた信号を前記動作制御手段に出力して前記光源の点灯及び消灯を制御する点灯制御手段と；前記点灯制御手段による前記光源の消灯により前記主制御手段の動作を低消費電力モードに移行させる電力モード切替手段を有する補助制御手段と；を具備したことを特徴としている。
【０００８】
ここで、低消費電力モードは、例えば主制御手段で消費される電力が、少なくとも光源の点灯時より消灯時の方が小さくなるような関係にあることをいう。この場合、低消費電力モードといっても電力ゼロではない。つまり消灯後であって商用電源が供給されている状態で点灯信号が入力したら光源の点灯制御を行う必要があるため主制御手段に電力が一切供給されない状態とするのは好適でないからである。
【０００９】
請求項２記載の発明は、請求項１記載の発明において、さらに前記光源に供給される高周波交流出力の異常を検出する異常検出手段を有し；前記補助制御手段は、前記異常検出手段の異常検出により前記主制御手段の動作を低消費電力モードに移行させることを特徴としている。
【００１０】
請求項３記載の発明は、請求項１又は２記載の点灯装置と；前記点灯装置を有する器具本体と：を具備したことを特徴とする照明器具である。
【発明の効果】
【００１１】
本発明によれば、光源の消灯により主制御手段の動作を低消費電力モードに移行させることで光源消灯時の主制御手段での消費電力を低減することができ、装置全体の消費電力の低減を実現できる。
【００１２】
また、本発明によれば、異常発生により光源が消灯したときも、主制御手段の動作を低消費電力モードに移行させるようにしたので、異常が回復した時点で、光源が正常に消灯した状態を再現することができ、装置の操作性も改善することができる。
【００１３】
さらに、本発明によれば、点灯装置での消費電力の大幅な低減を実現した照明器具を提供できる。
【発明を実施するための最良の形態】
【００１４】
以下、本発明の実施の形態を図面に従い説明する。
【００１５】
まず、本発明の点灯装置が適用される照明器具について簡単に説明する。図１において、１は器具本体で、この器具本体１は、円板状をした基台１ａを有し、この基台１ａ上に直径の異なるリング状の放電灯２，３が同心状に配置され、これら放電灯２，３を覆うように乳白色のセード４が装着されている。また、器具本体１内部には、本発明の点灯装置１００が配置されている。なお、図示しないが、さらに反射板、端子および配線なども設けられることは勿論である。
【００１６】
図２は、このように構成された照明器具の器具本体１内部に組み込まれる本発明の点灯装置１００の概略構成を示している。
【００１７】
図２において、１１は交流電源で、この交流電源１１は、不図示の商用電源からなっている。この交流電源１１には、全波整流回路１２の入力端子が接続されている。全波整流回路１２は、交流電源１１からの交流電力を全波整流した出力を発生する。
【００１８】
全波整流回路１２には、電源手段としてチョッパ回路１３が接続されている。このチョッパ回路１３は、入力電流と入力電圧との位相を一致させる、所謂、臨界モード（不連続モード）の力率改善（ＰＦＣ）機能を備えた昇圧チョッパ電源が用いられる。また、チョッパ回路１３は、全波整流回路１２の正負極の出力端子間に昇圧用トランスを構成するチョッパチョーク１３１の一次巻線１３１ａ、スイッチング素子としての電界効果トランジスタ１３２、抵抗１３３の直列回路が接続され、電界効果トランジスタ１３２、及び抵抗１３３の直列回路に、図示極性のダイオード１３４を介して平滑用コンデンサである電解コンデンサ１３５が接続されている。チョッパチョーク１３１は、一次巻線１３１ａと磁気的結合された二次巻線１３１ｂを有し、この二次巻線１３１ｂは、一端が全波整流回路１２の負極側出力端子に接続され、他端が抵抗１３６を介してチョッパ制御部２１を構成するフリップフロップ２１４のセット（Ｓ）端子に接続されている。このチョッパ制御部２１については後述する。
【００１９】
チョッパ回路１３には、交流出力手段としてインバータ回路１４が接続されている。このインバータ回路１４は、電解コンデンサ１３５に並列に、スイッチング素子としての電界効果トランジスタ１４１、１４２の直列回路が接続され、所謂、ハーフブリッジ型のインバータ回路として構成されている。電界効果トランジスタ１４１、１４２は、それぞれのゲートがインバータ制御部を２２を構成するハイサイドドライバ２２１に接続され、このハイサイドドライバ２２１より供給される制御信号によりオンオフが制御される。インバータ制御部２２については後述する。
【００２０】
インバータ回路１４には、予熱回路１５が接続されている。この予熱回路１５は、インバータ回路１４の電界効果トランジスタ１４２と並列に、予熱用トランス１５１の一次巻線１５１ａ、コンデンサ１５２、スイッチング素子としての電界効果トランジスタ１５３及び電流検出用の抵抗１５４の直列回路が接続されている。また、コンデンサ１５２と電界効果トランジスタ１５３の接続点が図示極性のダイオード１５５を介してチョッパ回路１３のダイオード１３４のカソードに接続されている。予熱用トランス１５１は、一次巻線１５１ａと磁気的結合された第１の二次巻線１５１ｂ、第２の二次巻線１５１ｃ及び第３の二次巻線１５１ｄを有している。これら第１の二次巻線１５１ｂ、第２の二次巻線１５１ｃ及び第３の二次巻線１５１ｄについては後述する。電界効果トランジスタ１５３のゲートには、予熱回路制御部２０４が接続されている。この予熱回路制御部２０４についても後述する。
【００２１】
予熱回路１５には、共振回路１６が接続されている。この共振回路１６は、電界効果トランジスタ１５３に並列に、直流カット用のコンデンサ１６１を介して共振用インダクタ１６２及び共振用コンデンサ１６３の直列回路が接続されている。
【００２２】
共振回路１６には、光源として上述の図１に示した放電灯２，３が接続されている。この場合、共振回路１６の共振用インダクタ１６２と共振用コンデンサ１６３の接続点は、放電灯２の一方のフィラメント２ａに接続され、また、共振用コンデンサ１６３の前記全波整流回路１２の負極側出力端子との接続点は、放電灯３の一方のフィラメント３ａに接続されている。そして、放電灯２のフィラメント２ａには、予熱用トランス１５１の第１の二次巻線１５１ｂとコンデンサ１７１の直列回路が並列に接続され、放電灯３のフィラメント３ａには、予熱用トランス１５１の第２の二次巻線１５１ｃとコンデンサ１７２の直列回路が並列に接続されている。また、放電灯２、３のそれぞれの他方のフィラメント２ｂと３ｂは、予熱用トランス１５１の第３の二次巻線１５１ｄとコンデンサ１７３の直列回路を介して接続されている。
【００２３】
一方、２０は主制御手段としてのＤＳＰで、このＤＳＰ２０は、ディジタル演算処理機能を有する。このＤＳＰ２０は、電圧設定部２０１、状態検出部２０２、インバータ回路制御部２０３、予熱回路制御部２０４、異常検出部２０５及び待機状態設定部２０６を有するとともに、図示しないが記憶手段としてのＲＯＭ、ＲＡＭ、インターフェースであるＩ／Ｏポートなどを有している。この場合、これら電圧設定部２０１、状態検出部２０２、インバータ回路制御部２０３、予熱回路制御部２０４、異常検出部２０５、待機状態設定部２０６は、例えばソフトウェアから構成されている。勿論、これらはハードウェアにより構成することもできる。
【００２４】
電圧設定部２０１は、チョッパ回路１３の出力電圧ＶＤＣを設定するためのもので、基準信号である参照電圧ＶＴＨを出力する。この場合、ＤＳＰ２０の不図示のＲＯＭには、例えば、４００Ｖの出力電圧ＶＤＣに関するデータが記憶されている。具体的には、出力電圧ＶＤＣについて、図３に示すように出力電圧波形Ａ上の所定時間ごとの電圧値Ｖａ、Ｖｂ、Ｖｃ、…Ｖｎに対応するデータが記憶されている。そして、電圧設定部２０１は、これら電圧値Ｖａ〜Ｖｎのデータを順にＲＯＭより読み出し参照電圧ＶＴＨとして出力する。
【００２５】
このような電圧設定部２０１には、上述したチョッパ制御部２１が接続されている。このチョッパ制御部２１は、電圧設定部２０１の参照電圧ＶＴＨが出力される出力端子を抵抗２１１とコンデンサ２１２の直列回路を介して接地し、これら抵抗２１１とコンデンサ２１２の接続点にコンパレータ２１３の一方の入力端子が接続されている。このコンパレータ２１３は、他方の入力端子に前記チョッパ回路１３の電界効果トランジスタ１３２と抵抗１３３の接続点が接続され、電界効果トランジスタ１３２のスイッチングにより抵抗１３３に生じる電圧Ｖｑと上述の参照電圧ＶＴＨとの比較結果を出力する。コンパレータ２１３の出力端子には、フリップフロップ２１４のリセット（Ｒ）端子が接続されている。このフリップフロップ２１４は、ＲＳ型を構成するもので、セット（Ｓ）端子が抵抗１３６を介してチョッパチョーク１３１の二次巻線１３１ｂに接続され、出力（Ｑ）端子が電界効果トランジスタ１３２のゲートに接続されている。
【００２６】
状態検出部２０２は、放電灯２、３に供給される高周波交流出力の電圧Ｖｌと電流Ｉｌを検出し、放電灯２、３の点灯状態を検出するもので、ここでは、これら電圧Ｖｌ及び電流Ｉｌに対応したディジタルの周波数データを状態検出信号として出力する。
【００２７】
インバータ回路制御部２０３は、状態検出部２０２より検出した放電灯２、３の点灯状態を表す状態検出信号及び後述する調光信号出力部３１３から出力される調光信号ＤＩＭに基づいて所定の周波数を有する調光用のＰＷＭ信号を生成する。このインバータ回路制御部２０３には、上述したインバータ制御部２２を構成するハイサイドドライバ２２１が続されている。このハイサイドドライバ２２１は、インバータ回路制御部２０３から供給される調光用のＰＷＭ信号に応じて、数十ｋＨｚ〜２００ｋＨｚ程度の動作周波数の制御信号、具体例としては、例えば５０ｋＨｚ以上の制御信号を発生して電界効果トランジスタ１４１，１４２を交互にオンオフさせ、電界効果トランジスタ１４２のドレインーソース間に高周波交流出力を発生させる。
【００２８】
予熱回路制御部２０４は、予熱回路１５の抵抗１５４に流れる電流を予熱電流ＩＰとして検出し、この予熱電流ＩＰを監視するとともに、状態検出部２０２で検出される放電灯２，３に対する電圧Ｖｌ及び電流Ｉｌに基づいて最適予熱条件の目標値を設定し、この目標値に予熱電流ＩＰが近付くように予熱回路１５の電界効果トランジスタ１５３のゲート端子に供給する予熱用ＰＷＭ信号を生成する。
【００２９】
異常検出部２０５は、状態検出部２０２より出力される状態検出信号に基づいて放電灯２，３に供給される高周波交流出力の異常を検出する。
【００３０】
待機状態設定部２０６は、ＤＳＰ２０の待機状態を設定するもので、後述する制御部３１２より消灯信号又は異常信号が入力されると、ＤＳＰ２０内のインバータ回路制御部２０３のインバータ動作を停止させるとともに、電圧設定部２０１、状態検出部２０２、予熱回路制御部２０４などの動作も停止させ、ＤＳＰ２０全体の動作を低消費電力モード（ＤＳＰ２０で消費される電力が、少なくとも放電灯２、３の点灯時より消灯時の方が小さくなるような関係）に移行させる。また、待機状態設定部２０６は、放電灯２、３の消灯状態から、制御部３１２より、改めて放電灯２、３を点灯するための制御信号が出力されると、ＤＳＰ２０の低消費電力モードを解除する。
【００３１】
一方、３１は補助制御手段としての補助制御部で、この補助制御部３１は、マイコンなどにより構成される。この補助制御部３１は、受信部３１１、制御部３１２及び調光信号出力部３１３を有している。制御部３１２には、異常検出部２０５、待機状態設定部２０６が接続されるとともに、例えばベビーランプなどの補助ランプ３１４が接続されている。
【００３２】
受信部３１１は、ワイヤレス端末４１からの制御信号を受信する。この場合、ワイヤレス端末４１は、ユーザにより装置から離れた位置で操作されるもので、放電灯２、３を０〜１００％（全光点灯時を１００％）の範囲で調光制御するための制御信号を、例えば赤外線発光素子より赤外線信号として出力する。受信部３１１は、ワイヤレス端末４１からの赤外線信号を受光する赤外線受光素子を有し、この赤外線受光素子で受光した赤外線信号を電気信号に変換して制御部３１２に入力する。
【００３３】
制御部３１２は、受信部３１１からの受信信号を調光制御用の制御信号に変換して調光信号出力部３１３に出力する。また、制御部３１２は、電力モード切替機能を有し、受信部３１１からの受信信号が全光点灯（１００％）の数％以下の調光（放電灯２、３の消灯）に対応することを判断すると消灯信号を出力し、さらに、異常検出部２０５から異常検出信号が入力されると、異常信号を出力し、これら消灯信号又は異常信号を待機状態設定部２０６に出力する。
【００３４】
調光信号出力部３１３は、制御部３１２の調光制御用の制御信号より０〜１００％の調光信号ＤＩＭを生成し、ＤＳＰ２０のインバータ回路制御部２０３に出力する。補助ランプ３１４は、放電灯２、３の消灯時及び異常検出時に制御部３１２により点灯される。
【００３５】
次に、このように構成した実施の形態の作用を説明する。
【００３６】
いま、電源投入により交流電源１１の交流電力が全波整流回路１２に供給されると、交流電力が全波整流回路１２で全波整流され、チョッパ回路１３に入力される。電圧設定部２０１は、出力電圧ＶＤＣに対応する図３に示す電圧値Ｖａ〜Ｖｎのうち、まず、電圧値Ｖａに対応するデータを参照電圧ＶＴＨとして出力する。この状態で、チョッパチョーク１３１の二次巻線１３１ｂの出力がフリップフロップ２１４のセット（Ｓ）端子に与えられ、出力（Ｑ）端子より図３（ｂ）に示すスイッチングパルスＳＰが出力されて電界効果トランジスタ１３２がオンされる。すると、チョッパチョーク１３１の一次巻線１３１ａに直線的に増加する電流が流れる（図３のＢ１１参照）。この状態で、チョッパチョーク１３１に電磁的エネルギーが蓄積される。同時に、電界効果トランジスタ１３２のオンによるスイッチング電流によって抵抗１３３により生じる電圧Ｖｑがコンパレータ２１３に入力される。そして、このときの電圧設定部２０１の参照電圧ＶＴＨ（Ｖａ）と比較され、電圧Ｖｑが参照電圧ＶＴＨ（Ｖａ）に達すると、コンパレータ２１３の出力によりフリップフロップ２１４のリセット（Ｒ）端子に図３（ｃ）に示すようなリセット信号ＲＳが入力され、出力（Ｑ）端子から出力されていたスイッチングパルスＳＰが停止して電界効果トランジスタ１３２がオフされる。これにより、チョッパチョーク１３１に蓄積された電磁的エネルギーが放出され、チョッパチョーク１３１に直線的に減少する電流が流れる（図３のＢ１２参照）。その後、電圧設定部２０１は、図３に示す電圧値Ｖｂに対応するデータを次の電圧ＶＴＨとして出力する。この状態で、チョッパチョーク１３１の二次巻線１３１ｂの出力がフリップフロップ２１４のセット（Ｓ）端子に与えられ、出力（Ｑ）端子からのスイッチングパルスＳＰにより電界効果トランジスタ１３２がオンされ、上述したと同様な動作が実行される。以下同様にして電圧設定部２０１の参照電圧ＶＴＨを図３に示す電圧値Ｖｃ〜Ｖｎに対応するデータに順に変更しながら同様な動作を繰り返すことにより、図３（ａ）に示すように出力電圧ＶＤＣに対応する出力電流ＩＤＣが生成され、この出力電流ＩＤＣによりダイオード１３４を介して電解コンデンサ１３５両端に出力電圧ＶＤＣが発生する。
【００３７】
チョッパ回路１３の出力電圧ＶＤＣは、インバータ回路１４に入力される。インバータ回路１４は、電界効果トランジスタ１４１，１４２をハイサイドドライバ２２１より供給される制御信号によりオンオフされ、電界効果トランジスタ１４２のドレインーソース間に所定の高周波交流を発生する。この場合、ハイサイドドライバ２２１は、ＤＳＰ２０のインバータ回路制御部２０３で生成された調光用のＰＷＭ信号により制御信号を出力する。
【００３８】
インバータ回路１４より出力される高周波交流出力は、共振回路１６に与えられ、共振用インダクタ１６２及び共振用コンデンサ１６３が共振動作される。また、ＤＳＰ２０の予熱回路制御部２０４は、予熱回路１５の抵抗１５４に流れる予熱電流ＩＰを検出し、この予熱電流ＩＰが最適予熱条件の目標値に近付くように電界効果トランジスタ１５３のゲート端子に予熱用ＰＷＭ信号を出力することで、電界効果トランジスタ１５３がスイッチング動作され、予熱用トランス１５１の第１〜３の二次巻線１５１ｂ、１５１ｃ、１５１ｄにそれぞれ予熱電流が流れて放電灯２，３のフィラメント２ａ，２ｂ、３ａ、３ｂが予熱される。これにより、放電灯２のフィラメント２ａと２ｂの間、放電灯３のフィラメント３ａと３ｂに所定の始動電圧が印加され、放電灯２，３は点灯される。
【００３９】
このようにして点灯された放電灯２，３は、ユーザにより操作されるワイヤレス端末４１により０〜１００％（全光点灯時を１００％）の範囲で調光制御される。この場合、ワイヤレス端末４１により、例えば全光点灯（１００％）を設定すると、このときの制御信号は、不図示の赤外線発光素子より赤外線信号として出力される。この赤外線信号は、補助制御部３１の受信部３１１の不図示の赤外線受光素子で受光され電気信号に変換されて制御部３１２に入力される。そして、制御部３１２で、調光制御用の制御信号に変換され調光信号出力部３１３に出力される。調光信号出力部３１３は、制御部３１２の制御信号より１００％の調光信号ＤＩＭを生成し、ＤＳＰ２０のインバータ回路制御部２０３に出力する。これにより、インバータ回路制御部２０３より１００％の調光信号ＤＩＭに対応する調光用のＰＷＭ信号が生成されハイサイドドライバ２２１に入力され、このハイサイドドライバ２２１の制御信号に応じた動作周波数により電界効果トランジスタ１４１，１４２がオンオフされ、放電灯２，３は全光点灯（１００％）状態に制御される。
【００４０】
ワイヤレス端末４１により、全光点灯（１００％）以外の調光状態を設定した場合も同様である。この場合、ワイヤレス端末４１により設定された調光状態に応じた制御部３１２の制御信号により調光信号出力部３１３より調光信号ＤＩＭが生成され、この調光信号ＤＩＭに対応するインバータ回路制御部２０３のＰＷＭ信号によるハイサイドドライバ２２１の制御信号に応じた動作周波数により電界効果トランジスタ１４１，１４２がオンオフされ、放電灯２，３をワイヤレス端末４１により設定された調光状態に制御することができる。
【００４１】
次に、ワイヤレス端末４１により、放電灯２，３を消灯する場合は、調光状態を全光点灯（１００％）の数％以下に設定する。この場合、例えば、ワイヤレス端末４１には、放電灯消灯用のスイッチが用意されていて、このスイッチを操作することで、上述の全光点灯（１００％）の数％以下の調光状態が設定される。この場合も、制御部３１２の制御信号により調光信号出力部３１３より生成される調光信号ＤＩＭにより、インバータ回路制御部２０３でＰＷＭ信号が生成され、このＰＷＭ信号に応じたハイサイドドライバ２２１の制御信号によりインバータ回路１４の電界効果トランジスタ１４１，１４２のオンオフされるが、このときのハイサイドドライバ２２１の制御信号に応じたインバータ回路１４の動作周波数は大幅に低減されるので、放電灯２，３に供給される高周波交流出力は略ゼロまで抑制され、放電灯２，３は消灯状態に移行される。
【００４２】
また、これと同時に、制御部３１２は、調光状態が全光点灯（１００％）の数％以下であることを判断して消灯信号を出力し、待機状態設定部２０６に入力させる。これにより、待機状態設定部２０６は、インバータ回路制御部２０３によるインバータ動作を停止させるとともに、電圧設定部２０１、状態検出部２０２、予熱回路制御部２０４、異常検出部２０５の動作も停止させ、ＤＳＰ２０全体の動作を低消費電力モードに移行させる。また、制御部３１２は、放電灯２、３の消灯と同時に、補助ランプ３１４を点灯させる。
【００４３】
一方、放電灯２、３が通常点灯している状態で、放電灯２，３に供給される高周波交流出力の電圧Ｖｌ及び電流Ｉｌに異常が発生すると、状態検出部２０２の状態検出信号によりインバータ回路制御部２０３の動作が停止し、インバータ回路１４も動作停止して放電灯２、３が直ちに消灯される。この場合、異常検出部２０５は、状態検出部２０２からの状態検出信号に基づいて放電灯２，３に供給される高周波交流出力の異常を検出し、異常検出信号を制御部３１２に入力する。制御部３１２は、異常検出部２０５からの異常検出信号により異常信号を出力し、待機状態設定部２０６に入力させる。これにより、待機状態設定部２０６は、ＤＳＰ２０の動作を低消費電力モードに移行させる。また、制御部３１２は、放電灯２、３の消灯と同時に、補助ランプ３１４を点灯させる。
【００４４】
したがって、このようにすれば、ワイヤレス端末４１により、調光状態を全光点灯（１００％）の数％以下に設定し、インバータ回路１４の電界効果トランジスタ１４１，１４２の動作周波数を低減させて放電灯２，３を消灯状態にすると、制御部３１２からの消灯信号で待機状態設定部２０６によりＤＳＰ２０のインバータ回路制御部２０３によるインバータ動作を停止させるとともに、電圧設定部２０１、状態検出部２０２、予熱回路制御部２０４などの動作も停止させてＤＳＰ２０全体の動作を低消費電力モードに移行させるようにした。これにより、従来、放電灯を消灯した状態でもＤＳＰを待受け状態にして高速で動作しつづけ回路を通電状態にしたままにしたものと比べ、放電灯２，３の消灯時のＤＳＰによる消費電力を大幅に低減することができるようになり、省エネルギー化に大いに寄与することができる。
【００４５】
また、放電灯２、３が通常点灯している状態で、放電灯２、３に供給される出力などに異常が発生すると、放電灯２、３の消灯と同時に、異常検出部２０５の異常検出により制御部３１２より異常信号が発生し、この異常信号で待機状態設定部２０６によりＤＳＰ２０の動作を低消費電力モードに移行させるようにもした。これにより、その後に異常が回復した時点では、放電灯２、３が消灯した状態でＤＳＰ２０全体を低消費電力モードに移行させた状態、つまり上述の放電灯２、３を正常に消灯した状態を再現することができるので、その後のユーザの操作を、通常の消灯状態から点灯操作を行うようにもでき、装置の操作性を改善することができる。
【００４６】
なお、本発明は、上記実施の形態に限定されるものでなく、実施段階では、その要旨を変更しない範囲で種々変形することが可能である。例えば、光源の放電灯は、蛍光ランプなどを含み、さらに光源としてはＬＥＤなどを適用することもできる。
【００４７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４８】
【図１】本発明の第１の実施の形態にかかる点灯装置が適用される照明器具を示す斜視図。
【図２】第１の実施の形態にかかる点検装置の概略構成を示す図。
【図３】第１の実施の形態のチョッパ回路での動作を説明するための図。
【符号の説明】
【００４９】
１…器具本体、２．３…放電灯、４…セード
１００…点灯装置、１１…交流電源
１３…チョッパ回路、１４…インバータ回路
１４１．１４２…電界効果トランジスタ
１５…予熱回路、１６…共振回路
２０…ＤＳＰ、２０１…電圧設定部
２０２…状態検出部、２０３…インバータ回路制御部
２０４…予熱回路制御部、２０５…異常検出部
２０６…待機状態設定部、２１…チョッパ制御部
２２…インバータ制御部、２２１…ハイサイドドライバ
３１…補助制御部、３１１…受信部、３１２…制御部
３１３…調光信号出力部、３１４…補助ランプ
４１…ワイヤレス端末
【図１】
2010040374.tif 000003
【図２】
2010040374.tif 000004
【図３】
2010040374.tif 000005